【手続補正書】
【提出日】平成15年10月6日(2003.10.6)
【手続補正１】
【補正対象書類名】明細書
【補正対象項目名】発明の名称
【補正方法】変更
【補正の内容】
【発明の名称】電子機器とその製造方法


【手続補正２】
【補正対象書類名】明細書
【補正対象項目名】特許請求の範囲
【補正方法】変更
【補正の内容】
【特許請求の範囲】
【請求項１】
少なくとも表示部と発振器を具えて構成される電子機器で、前記電子機器は少なくとも一個の発振器を具えて構成され、前記一個の発振器は水晶振動子を具えて構成されている水晶発振器で、
前記水晶発振器は少なくとも増幅器から成る増幅回路と少なくとも水晶振動子とコンデンサーから成る帰還回路で構成される水晶発振回路を具えて構成されていて、
前記一個の水晶発振器を構成する帰還回路の水晶振動子は屈曲モードで振動する音叉腕と音叉基部とを具えて構成される音叉形状の屈曲水晶振動子で、前記音叉腕は上面と下面と側面とを有し、前記音叉腕の側面に電極が配置されていて、前記音叉腕の音叉の内側の側面に対向して配置された電極は極性が異なるように配置され、かつ、前記音叉腕が逆相で振動するように電極を配置し、
更に、前記音叉形状の屈曲水晶振動子の基本波モード振動のフイガーオブメリットＭ１が高調波モード振動のフイガーオブメリットＭｎより大きい屈曲水晶振動子を具えて前記一個の水晶発振器は構成されると共に、
増幅回路と前記音叉形状の屈曲水晶振動子から成る帰還回路とを具えて構成される前記一個の水晶発振器の増幅回路の基本波モード振動の負性抵抗の絶対値｜−ＲＬ１｜と基本波モード振動の等価直列抵抗Ｒ１との比が増幅回路の高調波モード振動の負性抵抗の絶対値｜−ＲＬｎ｜と高調波モード振動の等価直列抵抗Ｒｎとの比より大きくなるように前記一個の水晶発振器は構成されていて、
前記音叉形状の屈曲水晶振動子を具えて構成された前記一個の水晶発振器の出力信号が基本波モード振動の発振周波数で、前記出力信号は電子機器の前記表示部に時間を表示する信号であることを特徴とする電子機器。
【請求項２】
増幅回路と帰還回路とを具えて構成される水晶発振回路の増幅回路の基本波モード振動の増幅率α１と２次高調波モード振動の増幅率α２との比が帰還回路の２次高調波モード振動の帰還率β２と基本波モード振動の帰還率β１との比より大きく、かつ、基本波モード振動の増幅率α１と基本波モード振動の帰還率β１の積が１より大きくなるように構成され、音叉形状の屈曲水晶振動子を具えて構成される前記水晶発振回路の出力信号が基本波モード振動の発振周波数であることを特徴とする請求項１に記載の電子機器。
【請求項３】
幅と厚みと長さとを有する音叉腕と音叉基部とを具えて構成され、屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕を具えて構成され、前記第１音叉腕と前記第２音叉腕と前記音叉基部とはエッチング法によって一体に形成されていて、第１音叉腕と第２音叉腕に各々１個の貫通穴を含む溝が設けられ、各々の溝幅Ｗ２は部分幅Ｗ１、Ｗ３と等しいか、又は部分幅Ｗ１、Ｗ３より大きくなるように形成され、且つ、各々の溝には第１音叉腕の溝の電極と第２音叉腕の溝の電極との極性が異なる電極が配置されると共に、前記溝の電極と対抗して配置された音叉腕の側面の電極とは極性が異なる２電極端子を構成し、前記２電極端子の内、１電極端子は第１音叉腕の溝に配置された電極と第２音叉腕の両側面に配置された電極から構成され、且つ、溝に配置された前記電極と両側面に配置された前記電極とが接続され、他の１電極端子は第１音叉腕の両側面に配置された電極と第２音叉腕の溝に配置された電極から構成され、且つ、両側面に配置された前記電極と溝に配置された前記電極とが接続されていて、前記２電極端子に直流電圧を印加したときに、前記第１音叉腕の中立線に対して音叉の叉部側に存在する音叉腕の内側側面の電極と、その電極に対抗して配置された溝側面の電極との間に前記電極に垂直に発生する電界の方向と、前記第２音叉腕の中立線に対して音叉の叉部側に存在する音叉腕の内側側面の電極と、その電極に対抗して配置された溝側面の電極との間に前記電極に垂直に発生する電界の方向とが同じで、更に、前記第１音叉腕の中立線に対して音叉の叉部側と反対の位置に存在する音叉腕の外側側面の電極と、その電極に対抗して配置された溝側面の電極との間に前記電極に垂直に発生する電界の方向と、前記第２音叉腕の中立線に対して音叉の叉部側と反対の位置に存在する音叉腕の外側側面の電極と、その電極に対抗して配置された溝側面の電極との間に前記電極に垂直に発生する電界の方向とが同じで、かつ、前記第１音叉腕と前記第２音叉腕の中立線に対して音叉の内側に発生する電界の方向と、前記第１音叉腕と前記第２音叉腕の中立線に対して音叉の外側に発生する電界の方向とは互いに方向が反対で、前記電界の方向は大略ｘ軸（電気軸）の方向に一致し、前記第１音叉腕と前記第２音叉腕のそれぞれ厚み方向に対抗して設けられた溝に配置された電極の、対抗する溝電極と溝電極との間には前記溝電極に対して垂直に発生する電界が厚み方向に存在しないように電極が配置され、音叉腕に生ずる慣性モーメントが大きくなるように、音叉腕に設けられた各々１個の溝の内少なくとも１個の溝幅Ｗ２と音叉腕幅Ｗとの比（Ｗ２／Ｗ）が、０．３５より大きく、１より小さく、且つ、前記溝の厚みｔ１と音叉腕の厚みｔとの比（ｔ１／ｔ）が、０．７９より小さくなるように溝が形成されていることを特徴とする請求項１、又は請求項２に記載の電子機器。
【請求項４】
音叉腕に設けられた各々１個の溝の内少なくとも１個の溝幅Ｗ２と音叉腕幅Ｗとの比（Ｗ２  ／Ｗ）が、０．３５〜０．８５の範囲内にあり、前記溝の厚みｔ１と音叉腕の厚みｔとの比（ｔ１／ｔ）が、０．０５〜０．７９の範囲内に、且つ、音叉腕又は音叉腕と音叉基部に設けられた溝の長さｌ１と音叉型屈曲水晶振動子の全長ｌとの比（ｌ１／ｌ）が、０．２〜０．６８の範囲内にあることを特徴とする請求項３に記載の電子機器。
【請求項５】
音叉形状の屈曲水晶振動子の基本波モード振動の基準周波数が３２ｋＨｚ〜３３．５ｋＨｚの間にあり、前記屈曲水晶振動子の２次高調波モード振動の容量比ｒ２が基本波モード振動の容量比ｒ１より大きく、かつ、２次高調波モード振動のフイガーオブメリットＭ２が３０より小さいことを特徴とする請求項１から請求項４の何れかに記載の電子機器。
【請求項６】
増幅回路と帰還回路とを具えて構成される少なくとも一個の水晶発振器を構成する帰還回路の水晶振動子は、屈曲モード振動と異なる振動モードの水晶振動子で、かつ、前記水晶振動子を具えて構成される水晶発振器の出力信号を前記電子機器の時間表示以外に用いたことを特徴とする請求項１から請求項５の何れかに記載の電子機器。
【請求項７】
増幅回路と帰還回路とを具えて構成される少なくとも一個の水晶発振器を構成する帰還回路の水晶振動子は、幅縦水晶振動子又は厚みすべり水晶振動子であることを特徴とする請求項６に記載の電子機器。
【請求項８】
少なくとも表示部と発振器とを具えて構成される電子機器の製造方法で、
前記電子機器は少なくとも一個の発振器を具えて構成され、前記一個の発振器は水晶振動子を具えて構成されている水晶発振器で、
前記水晶発振器はＣＭＯＳインバータと帰還抵抗からなる増幅回路と水晶振動子とコンデンサーとドレイン抵抗からなる帰還回路とを具えて構成される水晶発振回路を具えて構成されていて、
前記一個の水晶発振器を構成する帰還回路の水晶振動子は、幅と厚みと長さとを有する音叉腕と音叉基部とを具えて構成され、屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕とを具えて構成され、前記第１音叉腕と前記第２音叉腕と前記音叉基部とはエッチング法によって一体に形成されていて、第１音叉腕と第２音叉腕の上下面にはそれぞれ厚みの方向に対抗して溝が設けられ、前記溝は第１音叉腕と第２音叉腕の上下面に各々１個の溝が設けられ、各々の溝幅Ｗ２は部分幅Ｗ１、Ｗ３と等しいか、又は部分幅Ｗ１、Ｗ３より大きくなるように形成され、且つ、各々の溝には第１音叉腕の溝の電極と第２音叉腕の溝の電極との極性が異なる電極が配置されると共に、前記溝の電極と対抗して配置された音叉腕の側面の電極とは極性が異なる２電極端子を構成し、前記２電極端子の内、１電極端子は第１音叉腕の上下面の溝に配置された電極と第２音叉腕の両側面に配置された電極から構成され、且つ、上下面の溝に配置された前記電極と両側面に配置された前記電極とが接続され、他の１電極端子は第１音叉腕の両側面に配置された電極と第２音叉腕の上下面の溝に配置された電極から構成され、且つ、両側面に配置された前記電極と上下面の溝に配置された前記電極とが接続されていて、前記２電極端子に直流電圧を印加したときに、前記第１音叉腕の中立線に対して音叉の叉部側に存在する音叉腕の内側側面の電極と、その電極に対抗して配置された溝側面の電極との間に前記電極に垂直に発生する電界の方向と、前記第２音叉腕の中立線に対して音叉の叉部側に存在する音叉腕の内側側面の電極と、その電極に対抗して配置された溝側面の電極との間に前記電極に垂直に発生する電界の方向とが同じで、更に、前記第１音叉腕の中立線に対して音叉の叉部側と反対の位置に存在する音叉腕の外側側面の電極と、その電極に対抗して配置された溝側面の電極との間に前記電極に垂直に発生する電界の方向と、前記第２音叉腕の中立線に対して音叉の叉部側と反対の位置に存在する音叉腕の外側側面の電極と、その電極に対抗して配置された溝側面の電極との間に前記電極に垂直に発生する電界の方向とが同じで、かつ、前記第１音叉腕と前記第２音叉腕の中立線に対して音叉の内側に発生する電界の方向と、前記第１音叉腕と前記第２音叉腕の中立線に対して音叉の外側に発生する電界の方向とは互いに方向が反対で、前記電界の方向は大略ｘ軸（電気軸）の方向に一致し、前記第１音叉腕と前記第２音叉腕のそれぞれ厚み方向に対抗して設けられた溝に配置された電極の、対抗する溝電極と溝電極との間には前記溝電極に対して垂直に発生する電界が厚み方向に存在しないように電極が配置され、音叉腕に生ずる慣性モーメントが大きくなるように、音叉腕の上下面に設けられた各々１個の溝の内、少なくとも１個の溝幅Ｗ２と音叉腕幅Ｗとの比（Ｗ２／Ｗ）が、０．３５より大きく、１より小さく、且つ、前記溝の厚みｔ１と音叉腕の厚みｔとの比（ｔ１／ｔ）が、０．７９より小さくなるように溝が形成されていて、
更に、前記音叉型屈曲水晶振動子の基本波モード振動のフイガーオブメリットＭ１が高調波モード振動のフイガーオブメリットＭｎより大きい屈曲水晶振動子を具えて前記一個の水晶発振器は構成されると共に、
増幅回路と音叉型屈曲水晶振動子から成る帰還回路とを具えて構成される前記一個の水晶発振器の増幅回路の基本波モード振動の増幅率α１と２次高調波モード振動の増幅率α２との比が帰還回路の２次高調波モード振動の帰還率β２と基本波モード振動の帰還率β１との比より大きく、かつ、基本波モード振動の増幅率α１と基本波モード振動の帰還率β１との積が１より大きくなるように前記一個の水晶発振器は構成されていて、
前記音叉型屈曲水晶振動子を具えて構成された前記一個の水晶発振器の出力信号が基本波モード振動の発振周波数で、前記出力信号は電子機器の前記表示部に時間を表示する信号であって、
前記音叉型屈曲水晶振動子の音叉腕と音叉腕に設けられた溝と音叉基部とは化学的方法、物理的方法と機械的方法の内の少なくとも一つの方法で形成されていることを特徴とする電子機器の製造方法。
【請求項９】
増幅回路と音叉形状の屈曲水晶振動子から成る帰還回路とを具えて構成される一個の水晶発振器の増幅回路の基本波モード振動の負性抵抗の絶対値｜−ＲＬ１｜と基本波モード振動の等価直列抵抗Ｒ１との比が増幅回路の高調波モード振動の負性抵抗の絶対値｜−ＲＬｎ｜と高調波モード振動の等価直列抵抗Ｒｎとの比より大きくなるように前記一個の水晶発振器は構成されていることを特徴とする請求項８に記載の電子機器の製造方法。
【請求項１０】
音叉腕、又は音叉腕と音叉基部の上下面に各々１個の溝が設けられ、それらの内、少なくとも１個の溝の面積Ｓが０．０２５〜０．１２ｍｍ２の範囲内にあることを特徴とする請求項８、又は請求項９に記載の電子機器の製造方法。
【請求項１１】
増幅回路と帰還回路とを具えて構成される少なくとも一個の水晶発振器を構成する帰還回路の水晶振動子は屈曲モード振動と異なる振動モードの水晶振動子で、かつ、前記水晶振動子を具えて構成される水晶発振器の出力信号を電子機器の時間表示以外に用い、屈曲モード振動と異なる振動モードの水晶振動子は化学的方法、物理的方法と機械的方法の内の少なくとも一つの方法で形成されていることを特徴とする請求項８から請求項１０の何れかに記載の電子機器の製造方法。
【手続補正３】
【補正対象書類名】明細書
【補正対象項目名】０００１
【補正方法】変更
【補正の内容】
【０００１】
本発明は少なくとも表示部と発振器を具えて構成される電子機器とその製造方法に関する。特に、クロック源あるいは基準信号源として最適な発振器で、少なくとも一個の水晶発振器を具えた電子機器とその製造方法に関する。


【手続補正４】
【補正対象書類名】明細書
【補正対象項目名】０００４
【補正方法】変更
【補正の内容】
【０００４】
【課題を解決するための手段】
本発明は、以下の方法で従来の課題を有利に解決した屈曲モードで振動する音叉形状の水晶振動子又は幅縦水晶振動子又は厚みすべり水晶振動子から成る水晶発振器を具えた電子機器とその製造方法を提供することを目的とするものである。


【手続補正５】
【補正対象書類名】明細書
【補正対象項目名】０００５
【補正方法】変更
【補正の内容】
【０００５】
即ち、本発明の電子機器の第１の態様は、少なくとも表示部と発振器を具えて構成される電子機器で、前記電子機器は少なくとも一個の発振器を具えて構成され、前記一個の発振器は水晶振動子を具えて構成されている水晶発振器で、前記水晶発振器は少なくとも増幅器から成る増幅回路と少なくとも水晶振動子とコンデンサーから成る帰還回路で構成される水晶発振回路を具えて構成されていて、前記一個の水晶発振器を構成する帰還回路の水晶振動子は屈曲モードで振動する音叉腕と音叉基部とを具えて構成される音叉形状の屈曲水晶振動子で、前記音叉腕は上面と下面と側面とを有し、前記音叉腕の側面に電極が配置されていて、前記音叉腕の音叉の内側の側面に対向して配置された電極は極性が異なるように構成され、かつ、前記音叉腕が逆相で振動するように電極を構成し、更に、前記音叉形状の屈曲水晶振動子の基本波モード振動のフイガーオブメリットＭ１が高調波モード振動のフイガーオブメリットＭｎより大きい屈曲水晶振動子を具えて前記一個の水晶発振器は構成されると共に、増幅回路と前記音叉形状の屈曲水晶振動子から成る帰還回路を具えて構成される前記一個の水晶発振器の増幅回路の基本波モード振動の負性抵抗の絶対値｜−ＲＬ１｜と基本波モード振動の等価直列抵抗Ｒ１との比が増幅回路の高調波モード振動の負性抵抗の絶対値｜−ＲＬｎ｜と高調波モード振動の等価直列抵抗Ｒｎとの比より大きくなるように前記一個の水晶発振器は構成されていて、前記音叉形状の屈曲水晶振動子を具えて構成された前記一個の水晶発振器の出力信号が基本波モード振動の周波数で、前記出力信号は電子機器の前記表示部に時間を表示する信号となる電子機器である。
本発明の電子機器の第２の態様は、増幅回路と帰還回路とを具えて構成される水晶発振回路の増幅回路の基本波モード振動の増幅率α１と２次高調波モード振動の増幅率α２との比が帰還回路の２次高調波モード振動の帰還率β２と基本波モード振動の帰還率β１との比より大きく、かつ、基本波モード振動の増幅率α１と基本波モード振動の帰還率β１の積が１より大きくなるように構成され、音叉形状の屈曲水晶振動子を具えて構成される前記水晶発振回路の出力信号が基本波モード振動の発振周波数である第１の態様に記載の電子機器である。
本発明の電子機器の第３の態様は、幅と厚みと長さとを有する音叉腕と音叉基部とを具えて構成され、屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕を具えて構成され、前記第１音叉腕と前記第２音叉腕と前記音叉基部とはエッチング法によって一体に形成されていて、第１音叉腕と第２音叉腕に各々１個の貫通穴を含む溝が設けられ、各々の溝幅Ｗ２は部分幅Ｗ１、Ｗ３と等しいか、又は部分幅Ｗ１、Ｗ３より大きくなるように形成され、且つ、各々の溝には第１音叉腕の溝の電極と第２音叉腕の溝の電極との極性が異なる電極が配置されると共に、前記溝の電極と対抗して配置された音叉腕の側面の電極とは極性が異なる２電極端子を構成し、前記２電極端子の内、１電極端子は第１音叉腕の溝に配置された電極と第２音叉腕の両側面に配置された電極から構成され、且つ、溝に配置された前記電極と両側面に配置された前記電極とが接続され、他の１電極端子は第１音叉腕の両側面に配置された電極と第２音叉腕の溝に配置された電極から構成され、且つ、両側面に配置された前記電極と溝に配置された前記電極とが接続されていて、前記２電極端子に直流電圧を印加したときに、前記第１音叉腕の中立線に対して音叉の叉部側に存在する音叉腕の内側側面の電極と、その電極に対抗して配置された溝側面の電極との間に前記電極に垂直に発生する電界の方向と、前記第２音叉腕の中立線に対して音叉の叉部側に存在する音叉腕の内側側面の電極と、その電極に対抗して配置された溝側面の電極との間に前記電極に垂直に発生する電界の方向とが同じで、更に、前記第１音叉腕の中立線に対して音叉の叉部側と反対の位置に存在する音叉腕の外側側面の電極と、その電極に対抗して配置された溝側面の電極との間に前記電極に垂直に発生する電界の方向と、前記第２音叉腕の中立線に対して音叉の叉部側と反対の位置に存在する音叉腕の外側側面の電極と、その電極に対抗して配置された溝側面の電極との間に前記電極に垂直に発生する電界の方向とが同じで、かつ、前記第１音叉腕と前記第２音叉腕の中立線に対して音叉の内側に発生する電界の方向と、前記第１音叉腕と前記第２音叉腕の中立線に対して音叉の外側に発生する電界の方向とは互いに方向が反対で、前記電界の方向は大略ｘ軸（電気軸）の方向に一致し、前記第１音叉腕と前記第２音叉腕のそれぞれ厚み方向に対抗して設けられた溝に配置された電極の、対抗する溝電極と溝電極との間には前記溝電極に対して垂直に発生する電界が厚み方向に存在しないように電極が配置され、音叉腕に生ずる慣性モーメントが大きくなるように、音叉腕に設けられた各々１個の溝の内少なくとも１個の溝幅Ｗ２と音叉腕幅Ｗとの比（Ｗ２／Ｗ）が、０．３５より大きく、１より小さく、且つ、前記溝の厚みｔ１と音叉腕の厚みｔとの比（ｔ１／ｔ）が、０．７９より小さくなるように溝が形成されている第１の態様、又は第２の態様に記載の電子機器である。
本発明の電子機器の第４の態様は、音叉腕に設けられた各々１個の溝の内少なくとも１個の溝幅Ｗ２と音叉腕幅Ｗとの比（Ｗ２／Ｗ）が、０．３５〜０．８５の範囲内にあり、前記溝の厚みｔ１と音叉腕の厚みｔとの比（ｔ１／ｔ）が、０．０５〜０．７９の範囲内に、且つ、音叉腕又は音叉腕と音叉基部に設けられた溝の長さｌ１と音叉型屈曲水晶振動子の全長ｌとの比（ｌ１／ｌ）が、０．２〜０．６８の範囲内にある第３の態様に記載の電子機器である。
本発明の電子機器の第５の態様は、音叉形状の屈曲水晶振動子の基本波モード振動の基準周波数が３２ｋＨｚ〜３３．５ｋＨｚの間にあり、前記屈曲水晶振動子の２次高調波モード振動の容量比ｒ２が基本波モード振動の容量比ｒ１より大きく、かつ、２次高調波モード振動のフイガーオブメリットＭ２が３０より小さい第１の態様から第４の態様の何れかに記載の電子機器である。
本発明の電子機器の第６の態様は、増幅回路と帰還回路とを具えて構成される少なくとも一個の水晶発振器を構成する帰還回路の水晶振動子は屈曲モード振動と異なる振動モードの水晶振動子で、かつ、前記水晶振動子を具えて構成される水晶発振器の出力信号を前記電子機器の時間表示以外に用いた第１の態様から第５の態様の何れかに記載の電子機器である。
本発明の電子機器の第７の態様は、増幅回路と帰還回路とを具えて構成される少なくとも一個の水晶発振器を構成する帰還回路の水晶振動子は幅縦水晶振動子又は厚みすべり水晶振動子である第６の態様に記載の電子機器である。


【手続補正６】
【補正対象書類名】明細書
【補正対象項目名】０００６
【補正方法】変更
【補正の内容】
【０００６】
本発明の電子機器の製造方法の第１の態様は、少なくとも表示部と発振器とを具えて構成される電子機器の製造方法で、前記電子機器は少なくとも一個の発振器を具えて構成され、前記一個の発振器は水晶振動子を具えて構成されている水晶発振器で、前記水晶発振器はＣＭＯＳインバータと帰還抵抗からなる増幅回路と水晶振動子とコンデンサーとドレイン抵抗からなる帰還回路とを具えて構成される水晶発振回路を具えて構成されていて、前記一個の水晶発振器を構成する帰還回路の水晶振動子は、幅と厚みと長さとを有する音叉腕と音叉基部とを具えて構成され、屈曲モードで振動する音叉型屈曲水晶振動子で、前記音叉腕の一端部は音叉基部に接続され、他端部は自由である音叉型屈曲水晶振動子で、前記音叉腕は少なくとも第１音叉腕と第２音叉腕とを具えて構成され、前記第１音叉腕と前記第２音叉腕と前記音叉基部とはエッチング法によって一体に形成されていて、第１音叉腕と第２音叉腕の上下面にはそれぞれ厚みの方向に対抗して溝が設けられ、前記溝は第１音叉腕と第２音叉腕の上下面に各々１個の溝が設けられ、各々の溝幅Ｗ２は部分幅Ｗ１、Ｗ３と等しいか、又は部分幅Ｗ１、Ｗ３より大きくなるように形成され、且つ、各々の溝には第１音叉腕の溝の電極と第２音叉腕の溝の電極との極性が異なる電極が配置されると共に、前記溝の電極と対抗して配置された音叉腕の側面の電極とは極性が異なる２電極端子を構成し、前記２電極端子の内、１電極端子は第１音叉腕の上下面の溝に配置された電極と第２音叉腕の両側面に配置された電極から構成され、且つ、上下面の溝に配置された前記電極と両側面に配置された前記電極とが接続され、他の１電極端子は第１音叉腕の両側面に配置された電極と第２音叉腕の上下面の溝に配置された電極から構成され、且つ、両側面に配置された前記電極と上下面の溝に配置された前記電極とが接続されていて、前記２電極端子に直流電圧を印加したときに、前記第１音叉腕の中立線に対して音叉の叉部側に存在する音叉腕の内側側面の電極と、その電極に対抗して配置された溝側面の電極との間に前記電極に垂直に発生する電界の方向と、前記第２音叉腕の中立線に対して音叉の叉部側に存在する音叉腕の内側側面の電極と、その電極に対抗して配置された溝側面の電極との間に前記電極に垂直に発生する電界の方向とが同じで、更に、前記第１音叉腕の中立線に対して音叉の叉部側と反対の位置に存在する音叉腕の外側側面の電極と、その電極に対抗して配置された溝側面の電極との間に前記電極に垂直に発生する電界の方向と、前記第２音叉腕の中立線に対して音叉の叉部側と反対の位置に存在する音叉腕の外側側面の電極と、その電極に対抗して配置された溝側面の電極との間に前記電極に垂直に発生する電界の方向とが同じで、かつ、前記第１音叉腕と前記第２音叉腕の中立線に対して音叉の内側に発生する電界の方向と、前記第１音叉腕と前記第２音叉腕の中立線に対して音叉の外側に発生する電界の方向とは互いに方向が反対で、前記電界の方向は大略ｘ軸（電気軸）の方向に一致し、前記第１音叉腕と前記第２音叉腕のそれぞれ厚み方向に対抗して設けられた溝に配置された電極の、対抗する溝電極と溝電極との間には前記溝電極に対して垂直に発生する電界が厚み方向に存在しないように電極が配置され、音叉腕に生ずる慣性モーメントが大きくなるように、音叉腕の上下面に設けられた各々１個の溝の内少なくとも１個の溝幅Ｗ２と音叉腕幅Ｗとの比（Ｗ２／Ｗ）が、０．３５より大きく、１より小さく、且つ、前記溝の厚みｔ１と音叉腕の厚みｔとの比（ｔ１／ｔ）が、０．７９より小さくなるように溝が形成されていて、更に、前記音叉型屈曲水晶振動子の基本波モード振動のフイガーオブメリットＭ１が高調波モード振動のフイガーオブメリットＭｎより大きい屈曲水晶振動子を具えて前記一個の水晶発振器は構成されると共に、増幅回路と音叉型屈曲水晶振動子から成る帰還回路とを具えて構成される前記一個の水晶発振器の増幅回路の基本波モード振動の増幅率α１と２次高調波モード振動の増幅率α２との比が帰還回路の２次高調波モード振動の帰還率β２と基本波モード振動の帰還率β１との比より大きく、かつ、基本波モード振動の増幅率α１と基本波モード振動の帰還率β１との積が１より大きくなるように前記一個の水晶発振器は構成されていて、前記音叉型屈曲水晶振動子を具えて構成された前記一個の水晶発振器の出力信号が基本波モード振動の発振周波数で、前記出力信号は電子機器の前記表示部に時間を表示する信号であって、前記音叉型屈曲水晶振動子の音叉腕と音叉腕に設けられた溝と音叉基部とは化学的方法、物理的方法と機械的方法の内の少なくとも一つの方法で形成されている電子機器の製造方法である。
本発明の電子機器の製造方法の第２の態様は、増幅回路と音叉形状の屈曲水晶振動子から成る帰還回路とを具えて構成される一個の水晶発振器の増幅回路の基本波モード振動の負性抵抗の絶対値｜−ＲＬ１｜と基本波モード振動の等価直列抵抗Ｒ１との比が増幅回路の高調波モード振動の負性抵抗の絶対値｜−ＲＬｎ｜と高調波モード振動の等価直列抵抗Ｒｎとの比より大きくなるように前記一個の水晶発振器は構成されている第１の態様に記載の電子機器の製造方法である。
本発明の電子機器の製造方法の第３の態様は、音叉腕、又は音叉腕と音叉基部の上下面に各々１個の溝が設けられ、それらの内、少なくとも１個の溝の面積Ｓが０．０２５〜０．１２ｍｍ２の範囲内にある第１の態様、又は第２の態様に記載の電子機器の製造方法である。
本発明の電子機器の製造方法の第４の態様は、増幅回路と帰還回路とを具えて構成される少なくとも一個の水晶発振器を構成する帰還回路の水晶振動子は屈曲モード振動と異なる振動モードの水晶振動子で、かつ、前記水晶振動子を具えて構成される水晶発振器の出力信号を電子機器の時間表示以外に用い、屈曲モード振動と異なる振動モードの水晶振動子は化学的方法、物理的方法と機械的方法の内の少なくとも一つの方法で形成されている第１の態様から第３の態様の何れかに記載の電子機器の製造方法である。